(57)【要約】【課題】枠体と障子との間における室内外の冷熱の伝達を抑制して、さらなる断熱性能の向上を図る。【解決手段】  建物開口部に配置される枠体と、枠体内において摺動開閉自在に配置される障子を備え、枠体は、樹脂枠材を有し、障子は、樹脂框材を有し、障子の樹脂框材の外周面と枠体の樹脂枠材の内周面とが見込み方向で空間を挟んで対向しており、障子の樹脂框材の外周面もしくは枠体の樹脂枠材の内周面には、障子の閉鎖状態において障子の樹脂框材と枠体の樹脂枠材との間の空間を密閉空間もしくは半密閉空間とする気密片が設けられている。【選択図】図５
2018162587.tif 000002
【特許請求の範囲】
【請求項１】
建物開口部に配置される枠体と、枠体内において摺動開閉自在に配置される障子を備え、
枠体は、樹脂枠材を有し、
障子は、樹脂框材を有し、
障子の樹脂框材の外周面と枠体の樹脂枠材の内周面とが見込み方向で空間を挟んで対向しており、
障子の樹脂框材の外周面もしくは枠体の樹脂枠材の内周面には、障子の閉鎖状態において障子の樹脂框材と枠体の樹脂枠材との間の空間を密閉空間もしくは半密閉空間とする気密片が設けられている
ことを特徴とする断熱サッシ。
【発明の詳細な説明】
【技術分野】
【０００１】
本発明は、ビル等の建物開口部に配置される断熱サッシに関する。
【背景技術】
【０００２】
従来、ビル等の建物開口部に配置される断熱サッシとして、金属枠体の室内側に樹脂枠体を配置してなる複合枠に対して、金属框材の室内側に樹脂框材を配置してなる複合障子を配置してなる断熱サッシが公知となっている。（特許文献１）
【先行技術文献】
【特許文献】
【０００３】
【特許文献１】特開２００６−１８８９２７公報
【発明の概要】
【発明が解決しようとする課題】
【０００４】
上記特許文献１の建具は、室内側に樹脂材料からなる樹脂枠体および樹脂框材を配置することで、建具の室内側面からの冷熱の伝達を抑制し、断熱性能を向上させることができる。
そして、建具の枠体と障子との間からの冷熱の伝達を防ぐために、枠体と障子との間に気密材を配置して、室外からの空気の流入を防止して断熱性を向上させていた。
しかし、昨今、さらなる断熱性の向上が求められていた。
本発明は、上記事情を鑑みたものであり、さらなる断熱性能の向上を図ることを目的とする。
【課題を解決するための手段】
【０００５】
本発明は、建物開口部に配置される枠体と、枠体内において摺動開閉自在に配置される障子を備え、枠体は、樹脂枠材を有し、障子は、樹脂框材を有し、障子の樹脂框材の外周面と枠体の樹脂枠材の内周面とが見込み方向で空間を挟んで対向しており、障子の樹脂框材の外周面もしくは枠体の樹脂枠材の内周面には、障子の閉鎖状態において障子の樹脂框材と枠体の樹脂枠材との間の空間を密閉空間もしくは半密閉空間とする気密片が設けられていることを特徴とする。
【発明の効果】
【０００６】
本発明の構成により、引き違いサッシ等において、枠体と障子との間の室内外の冷熱の伝達を抑制して、さらなる断熱性能の向上を図ることができる。
【図面の簡単な説明】
【０００７】
【図１】本発明の断熱サッシの外観姿図である。
【図２】本発明の断熱サッシの閉鎖時に内障子が配置される位置における内、外障子及び上、下枠の縦断面図である。
【図３】本発明の断熱サッシの閉鎖時に外障子が配置される位置における内、外障子及び上、下枠の縦断面図である。
【図４】本発明の断熱サッシの横断面図である。
【図５】本発明の断熱サッシの内障子の下框付近の拡大図である。
【図６】本発明の断熱サッシの外障子の下框付近の拡大図である。
【発明を実施するための形態】
【０００８】
図１ないし４を参照しながら、本発明の実施形態に係る断熱サッシについて説明する。
（断熱サッシ全体の構成）
本発明の実施形態に係る断熱サッシは、図１に示されるように、例えばビル等の建物開口部に設けられた枠体１と、枠体１に対して引き違い自在に配置された内障子２および外障子３を有している。
枠体１は、上下の横枠（上枠１１および下枠１２）と左右の竪枠１３，１４を四周に枠組みしてなり、内障子２および外障子３は、それぞれ上下の横框（上框２１，３１および下框２２，３２）と左右の竪框（２３，２４，３３，３４）を四周に框組してなり、内周にガラス等のパネル体（２５，３５）を配置して形成されている。
【０００９】
（上枠の構成）
サッシの枠体１を構成する上枠１１は、図２，３に示すように、建物開口部に固定されアルミニウム等の金属材料からなる金属上枠１１１と、金属上枠１１１の室内側見付け面に見付け（左右）方向全長に亘って配置され樹脂材料からなる樹脂枠材１１２と、内、外障子２，３の閉鎖時において金属上枠１１１の内障子２側の内周面に配置され樹脂材料からなる樹脂枠材１１３（図２）と、内、外障子２，３の閉鎖時において金属上枠１１１の外障子３側の内周面に配置され樹脂材料からなる樹脂枠材１１４（図３）を有している。
【００１０】
金属上枠１１１は、建物開口部の内周に配置されてアンカーＡ等に取り付けられる上枠本体部１１１ａと、上枠本体部１１１ａの室内側端から垂下される室内側壁部１１１ｂと、上枠本体部１１１ａの室外側端から垂下される室外側壁部１１１ｃと、上枠本体部１１１ａの中央下面付近より垂下される中央壁部１１１ｄと、室外側壁部１１１ｃと中央壁部１１１ｄの間において上枠本体部１１１ａの下面から垂設される室外側上レール１１１ｅを有している。
【００１１】
金属上枠１１１の室内側壁部１１１ｂの下端室外側面には、内障子２の上框２１の室内側面に当接する気密材ｓ１１が取付溝等によって取り付けられており、室内側壁部１１１ｂの室内側面には、樹脂枠材１１２を取り付けるための係合部１１１ｆが形成されている。
また、金属上枠１１１の中央壁部１１１ｄの下端室外側面には、外障子３の上框３１の室内側面に当接する気密材ｓ１２が取付溝等によって取り付けられており、中央壁部１１１ｄの室内側面には、樹脂枠材１１３もしくは樹脂枠材１１４を取り付けるための係合部１１１ｇが上下に二か所形成されている。
【００１２】
金属上枠１１１の室内側見付け面に配置される樹脂枠材１１２は、室内側壁部１１１ｂの係合部１１１ｆに係合されることで、室内側壁部１１１ｂの下端面から室内側面にかけて中空部１１２ａを形成しながら覆うように配置されている。
樹脂枠材１１２は、室内側壁部１１１ｂの下端面において気密材ｓ１１に当接もしくは近接するように配置されることで、金属上枠１１１の室内側壁部１１１ｂが室内側に露出することがない。そして、樹脂枠材１１２の内周室内側端には室内方向に延びる鍔部１１２ｂが形成されている。
【００１３】
内、外障子２，３の閉鎖時において金属上枠１１１の内障子２側の内周面に配置される樹脂枠材１１３は、図２に示すように、上枠本体部１１１ａの内周（下）面に沿って配置される上壁部１１３ａと、上壁部１１３ａの室外側から下方に向けて設けられる断面中空形状の室外壁部１１３ｂと、室外壁部１１３ｂの下端より室内外両見込み方向に延設され金属上枠１１１の中央壁部１１１ｄの下端面から内障子２の上框２１の室外側面に近接する位置まで延びる断面中空形状の下壁部１１３ｃを有している。
【００１４】
そして、樹脂枠材１１３は、上壁部１１３ａの室内側端部を金属上枠１１１の室内側壁部１１１ｂの室外側上端に形成された係止部に係止するとともに、室外壁部１１３ｂおよび下壁部１１３ｃを中央壁部１１１ｄに形成された係合部１１１ｇに係合することにより、金属上枠１１１の上枠本体部１１１ａの室内側下面と中央壁部１１１ｄの室内側面を覆うとともに、下壁部１１３ｃの室内側端部が内障子２の上框２１の室外側面と近接することで、内、外障子２，３の閉鎖時において内障子２と上枠１１との間の空間が室外側に広く開放することを防いで室内へ冷熱が伝達されることを抑制している。
【００１５】
内、外障子２，３の閉鎖時において金属上枠１１１の外障子３側の内周面に配置される樹脂枠材１１４は、図３に示すように、上枠本体部１１１ａの内周（下）面に沿って配置される上壁部１１４ａと、上壁部１１４ａの室外側から下方に向けて設けられる断面中空形状の室外壁部１１４ｂと、室外壁部１１４ｂの下端より室内外見込み方向に延設され金属上枠１１１の中央壁部１１１ｄの下端面から内障子２の上框２１の室外側面に近接する位置まで延びる断面中空形状の下壁部１１４ｃと、上壁部１１４ａの室内側から下方に向けて設けられる室内壁部１１４ｄを有している。
【００１６】
そして、樹脂枠材１１４は、室内壁部１１４ｄの下端を金属上枠１１１の室内側壁部１１１ｂに形成された気密材取付溝等の上面に係止するとともに、室外壁部１１４ｂおよび下壁部１１４ｃを中央壁部１１１ｄに形成された係合部１１１ｇに係合することにより、金属上枠１１１の室内側壁部１１１ｂと中央壁部１１１ｄとの間に配置され、金属上枠１１１の上枠本体部１１１ａの室内側下面と中央壁部１１１ｄの室内側面と室内側壁部１１１ｂの室外側面を覆っている。
樹脂枠材１１４は、室外壁部１１４ｂおよび下壁部１１４ｃが断面中空形状に形成されることで、また、金属上枠１１１に対して間隔をあけて配置されることで、内、外障子２，３の閉鎖時において外障子３の室内側の金属上枠１１１から室内へ冷熱が伝達されることを抑制することができる。
【００１７】
（下枠の構成）
サッシの枠体１を構成する下枠１２は、図２，３に示すように、建物開口部に固定されアルミニウム等の金属からなる金属下枠１２１と、金属下枠１２１の室内側見付け面に見付け（左右）方向全長に亘って配置され樹脂材料からなる樹脂枠材１２２と、内、外障子２，３の閉鎖時において金属下枠１２１の外障子３側の内周（上）面に配置され樹脂材料からなる樹脂枠材１２３（図３）を有している。
【００１８】
金属下枠１２１は、建物開口部の内周に配置されてアンカーＡ等に取り付けられる下枠本体部１２１ａと、下枠本体部１２１ａの室内側に立ち上り室内側見付け面を構成する立上り部１２１ｂと、立上り部１２１ｂの室内側見付け面が上方に延設されてなる室内側壁部１２１ｃと、立上り部１２１ｂの室外側面上方位置から室外側に向かって延設される気密材保持片部１２１ｄと、下枠本体部１２１ａの室外側上面に設けられる室外側下レール１２１ｅと、下枠本体部１２１ａの室外側端部が上方に屈曲されてなる室外側壁部１２１ｆを有している。
【００１９】
金属下枠１２１の室内側壁部１２１ｃの上端室外側面には、内障子２の下框２２の室内側面に当接する気密材ｓ２１（図２）もしくは後述する下レール部材１２５の固定部１２５ａを覆う気密カバー材ｓ２３（図３）が係合溝等によって取り付けられており、気密材保持片部１２１ｄの室外側端部には、外障子３の下框３２の室内側面に当接する気密材ｓ２２が取付溝等によって取り付けられている。
また、立上り部１２１ｂの上面には、樹脂枠材１２３もしくは室内側下レール１２６を配置するための係合部１２１ｈが形成されているとともに、立上り部１２１ｂおよび室内側壁部１２１ｃの室内側面には、樹脂枠材１２２を取り付けるための係合部１２１ｇが形成されている。
なお、金属下枠１２１の室外側壁部１２１ｆは、金属上枠１１１の室外側壁部１１１ｃとともに、図示しない網戸が走行するレールを構成してもよい。
【００２０】
金属下枠１２１の室内側見付け面に配置される樹脂枠材１２２は、立上り部１２１ｂおよび室内側壁部１２１ｃの係合部１２１ｇに係合されることで、室内側壁部１２１ｃの上端面から室内側面にかけて中空部１２２ａを形成しながら覆うように配置されている
樹脂枠材１２２は、室内側壁部１２１ｃの上端面において気密材ｓ２１もしくは気密カバー材ｓ２３に当接もしくは近接するように配置されることで、金属下枠１２１の室内側壁部１２１ｂが室内側に露出することがない。そして、樹脂枠材１２２の内周室内側端には室内方向に延びる鍔部１２２ｂが形成されている。
【００２１】
樹脂枠材１２３は、立上り部１２１ｂの上面に固定するために室内側に形成された固定部１２３ａと、固定部１２３ａの室外側に延びる平板部１２３ｂを有し、固定部１２３ａを係合部１２１ｈに挿入させながらビス等の固定手段ｂにより固定することで、金属下枠１２１の立上り部１２１ｂの上面から気密材保持片部１２１ｄの上面にかけて覆うように配置されている。
【００２２】
樹脂枠材１２３の固定部１２３ａの上面には、アルミニウム等の金属からなり断面略Ｌ字状の下レール部材１２５が配置され、樹脂枠材１２３と下レール部材１２５の固定部１２５ａがビス等の固定手段により立上り部１２１ｂの上面に共締めされて固定されている。
そして、金属下枠１２１の室内側壁部１２１ｃの係合溝等に気密カバー材ｓ２３が取り付けられて、下レール部材１２５の固定部１２５ａの上面を覆うように配置されている。
樹脂枠材１２３は、気密材保持片部１２１ｄの室外側端部において、気密材ｓ２２に当接もしくは近接するように配置され、下レール部材１２５の固定部１２５ａが気密カバー材ｓ２３に覆われることで、内、外障子２，３の閉鎖時において、外障子３の室内側で金属下枠１２１が室内に露出することがない。
なお、内、外障子２，３の閉鎖状態における内障子２側に配置された室内側下レール１２６と、外障子３側に配置された下レール部材１２５とによって、内障子２の下レールが構成されている。
【００２３】
（左竪枠の構成）
サッシの枠体１を構成する左竪枠１３は、図４に示すように、建物開口部に固定されアルミニウム等の金属からなる金属左竪枠１３１と、金属左竪枠１３１の室内側内周面に見付け（上下）方向全長に亘って配置され樹脂材料からなる樹脂枠材１３２を有している。
【００２４】
金属左竪枠１３１は、建物開口部の内周に配置されアンカーＡ等に取り付けられる左竪枠本体部１３１ａと、左竪枠本体部１３１ａの室内側端内周面から内周方向に延び樹脂枠材１３２を係合するための係合片部１３１ｂと、左竪枠本体部１３１ａの見込み方向略中央やや室外側寄りから内周方向に延設された気密材取付部１３１ｃと、気密材取付部１３１ｃの室外側で左竪枠本体部１３１ａの内周面から内周方向に延設された引寄せ片部１３１ｄと、左竪枠本体部１３１ａの室外側端内周面から内周方向に延設された室外側壁部１３１ｅを有している。
【００２５】
金属左竪枠１３１の気密材取付部１３１ｃの室外側面には、外障子３の戸先框３３の室内側面に当接する気密材ｓ３２が取付溝等により取り付けられており、気密材取付部１３１ｃの室内側面には、樹脂枠材１３２の室外側端部を係止する係止部が形成されている。
【００２６】
金属左竪枠１３１の室内側内周面に配置される樹脂枠材１３２は、複数の中空部を有しており、金属左竪枠１３１の係合片部１３１ｂと気密材取付部１３１ｃの係止部等によって金属左竪枠１３１の気密材取付部１３１ｃの室内側の内周面を覆うように配置されており、内、外障子２，３の閉鎖時において、金属左竪枠１３１の内周面から室内に冷熱が伝達されることを抑制している。
なお、室内側内周端から室内方向に延びる鍔部１３２ｃが形成されている。
【００２７】
（右竪枠の構成）
サッシの枠体１を構成する右竪枠１４は、図４に示すように、建物開口部に固定されアルミニウム等の金属からなる金属右竪枠１４１と、金属右竪枠１４１の室内側内周面に見付け（上下）方向全長に亘って配置され樹脂材料からなる樹脂枠材１４２を有している。
【００２８】
金属右竪枠１４１は、建物開口部の内周に配置されアンカーＡ等に取り付けられる右竪枠本体部１４１ａと、右竪枠本体部１４１ａの室内側内周面から内周方向に延びる室内側壁部１４１ｂと、室内側壁部１４１ｂの室外側において右竪枠本体部１４１ａの内周面から内周方向に延設された引寄せ片部１４１ｃと、右竪枠本体部１４１ａの見込み方向ほぼ中央位置の内周面から内周方向に延設された中央壁部１４１ｄと、右竪枠本体部１４１ａの室外側端から内周方向に延設された室外側壁部１４１ｅを有している。
【００２９】
金属右竪枠１４１の室内側壁部１４１ｂの室外側面には、内障子２の戸先框２４の室内側面に当接する気密材ｓ４１が取付溝等により取り付けられており、室内側面には、樹脂枠材１４２を係止する係合部１４１ｆが形成されている。
【００３０】
金属右竪枠１４１の室内側見付け面に配置される樹脂枠材１４２は、室内側壁部１４１ｂの係合部１４１ｆに係合されることで、室内側壁部１４１ｂの内周端部から室内側面にかけて中空部１４２ａを形成しながら覆うように配置されている。
樹脂枠材１４２は、室内側壁部１４１ｂの内周端部において気密材ｓ４１に当接もしくは近接するように配置されることで、金属右竪枠１４１の室内側壁部１４１ｂが室内側に露出することがない。そして、樹脂枠材１４２の内周室内側端には室内方向に延びる鍔部１４２ｂが形成されている。
【００３１】
（上框の構成）
内、外障子２，３を構成する上框２１，３１は、構造上ほぼ同一であるので、ここでは内障子２の上框２１を用いて説明する。
内障子２を構成する上框２１は、図２に示すように、アルミニウム等の金属からなる金属上框２１１と、金属上框２１１の室内側面に配置される樹脂上框２１２を有している。
【００３２】
金属上框２１１は、上框本体部２１１ａと、上框本体部２１１ａの内周（下方）に連設されるガラス間口部２１１ｂを有しており、上框本体部２１１ａの上端室内側とガラス間口部２１１ｂの下端室内側には、樹脂上框２１２を係止する上下の係止部が形成されている。
樹脂上框２１２は、上框本体部２１１ａの室内側面に配置される上方壁部２１２ａと、ガラス間口部２１１ｂの室内側面に配置される下方壁部２１２ｃと、上方壁部２１２ａと下方壁部２１２ｃとを連結する見込み壁部２１２ｂを有しており、上方壁部２１２ａと下方壁部２１２ｃには、それぞれ上、下中空部２１２ｄ，２１２ｅが形成されている。
【００３３】
そして、上框本体部２１１ａの上端室内側とガラス間口部２１１ｂの下端室内側に形成される上下の係止部に対して係止されることで、樹脂上框２１２は金属上框２１１に対して空間を有して室内側に配置され、該空間および上、下中空部２１２ｄ，２１２ｅによって、内障子２の上框２１の断熱性能を向上させている。
【００３４】
また、内、外障子２，３の閉鎖時において、上枠１１の室内側壁部１１１ｂに取り付けられた気密材ｓ１１が内障子２の上框２１の樹脂上框２１２の室内側に当接し、上枠１１の中央壁部１１１ｄに取り付けられた気密材ｓ１２が外障子３の上框３１の樹脂上框３１２の室内側に当接することで、上枠１１と内、外障子２，３の上方部位における気密ラインを構成している。
【００３５】
（下框の構成）
内障子２を構成する下框２２は、図２に示すように、アルミニウム等の金属からなる金属下框２２１と、金属下框２２１の室内側面に配置される樹脂材料からなる樹脂下框２２２を有している。
金属下框２２１は、下枠１２に設けられた下レールに案内される車輪（図示はない。）を収納する下框本体部２２１ａと、下框本体部２２１ａの内周に連設されるガラス間口部２２１ｂを有しており、下框本体部２２１ａの下端室内側とガラス間口部２２１ｂの上端室内側には、樹脂下框２２２を係止する上下の係止部が形成されている。
樹脂下框２２２は、複数の中空部を有し、金属下框２２１に形成される上下の係止部に係止され金属下框２２１の室内側に配置されることで、複数の中空部が下框本体部２２１ａ及びガラス間口部２２１ｂの室内側に配置され、内障子２の下框２２の断熱性能を向上させている。
【００３６】
外障子３を構成する下框３２は、図２，３に示すように、アルミニウム等の金属からなる金属下框３２１と、金属下框３２１の室内側に配置される樹脂材料からなる樹脂下框３２２を有している。
金属下框３２１は、下枠１２に設けられた室内側レールに案内される車輪ｗを収納する下框本体部３２１ａと、下框本体部３２１ａの内周に連設されるガラス間口部３２１ｂを有しており、下框本体部３２１ａの下端室内側とガラス間口部３２１ｂの上端室内側には、樹脂下框３２２を係止する上下の係止部が形成されている。
樹脂下框３２２は、複数の中空部を有し、金属下框３２１に形成される上下の係止部に係止され金属下框３２１の室内側に配置されることで、複数の中空部が下框本体部３２１ａ及びガラス間口部３２１ｂの室内側に配置され、外障子３の下框３２の断熱性能を向上させている。
【００３７】
（戸先框の構成）
内、外障子２，３を構成する戸先框２４，３３は、構造上ほぼ同一であるので、ここでは内障子２の戸先框２４を用いて説明する。
内障子２を構成する戸先框２４は、図４に示すように、アルミニウム等の金属からなる金属戸先框２４１と、金属戸先框２４１の室内側面に配置され樹脂材料からなる樹脂戸先框２４２を有している。
【００３８】
金属戸先框２４１は、戸先側に引寄せブロックｆを装着する開口溝が形成された戸先框本体部２４１ａと、戸先框本体部２４１ａの内周に連設されるガラス間口部２４１ｂを有しており、戸先框本体部２４１ａの開口溝に引寄せブロックｆが配置されるとともに、開口溝を構成する室外側壁の戸先側先端部には右竪枠１４との間を気密する気密材ｓ４２が取り付けられている。
戸先框本体部２４１ａの開口溝を構成する室内側壁の戸先側先端部およびガラス間口部２４１ｂの室内側内周端部には、樹脂戸先框２４２を係止する係止部が形成されている。
【００３９】
樹脂戸先框２４２は、戸先框本体部２４１ａの室内側面を覆う戸先側部２４２ａとガラス間口部２４１ｂの室内側面を覆う間口側部２４２ｃと戸先側部２４２ａと間口側部２４２ｃとを連結する見込み方向に延びる断面中空形状の見込み壁部２４２ｂを有している。
そして、戸先框本体部２４１ａおよびガラス間口部２４１ｂに形成される係止部に係止されて金属戸先框２４１の室内側に配置されることで戸先框２４の断熱性能を向上させている。
また、内、外障子２，３の閉鎖状態において、右竪枠１４と内障子２との間においては、樹脂材料からなる樹脂戸先框２４２の戸先側部２４２ａと見込み壁部２４２ｂ及び右竪枠１４の樹脂枠材１４２とによって半密閉もしくは密閉空間Ｓを形成し、左竪枠１３と外障子３との間においては、樹脂材料からなる樹脂戸先框３３２の戸先側部３３２ａと見込み壁部３３２ｂ及び左竪枠１３の樹脂枠材１３２とによって半密閉もしくは密閉空間Ｓを形成し、枠と障子間における断熱性能を向上させている。
【００４０】
（召合框の構成）
内障子２を構成する召合框２３は、図４に示すように、アルミニウム等の金属からなる金属召合框２３１と、金属召合框２３１の外周側面および室内側面に配置される樹脂部材からなる樹脂召合框２３２を有している。
金属召合框２３１は、中空部を有し室外側面に気密材ｓ５２が取り付けられるとともにＬ形片が形成された召合框本体部２３１ａと、召合框本体部２３１ａの内周に連設されるガラス間口部２３１ｂを有しており、召合框本体部２３１ａとガラス間口部２３１ｂの外周側面および室内側面には、樹脂召合框２３２を係止する複数の係止部が形成されている。
樹脂召合框２３２は、見込み方向および見付け方向にならぶ複数の中空部を有し、金属召合框２３１に形成される係止部に係止され金属召合框２３１の外周側面から室内側面にかけて配置されることで、金属召合框２３１との間に複数の空間を形成するとともに、中空部を配置した状態で固定されることで召合框２３の断熱性能を向上させている。
【００４１】
外障子３を構成する召合框３４は、図４に示すように、アルミニウム等の金属からなる金属召合框３４１と、金属召合框３４１の室内側の内周部に配置される樹脂材料からなる樹脂召合框３４２を有している。
金属召合框３４１は、中空部を有し室内側面に内障子２の金属召合框２３１の室外側面に形成されたＬ形片と協働して煙返しを形成するＬ形片が形成された召合框本体部３４１ａと、召合框本体部３４１ａの内周に連設されるガラス間口部３４１ｂを有しており、ガラス間口部３４１ｂを構成する室内側の間口壁は中空部を有している。
【００４２】
樹脂召合框３４２は、金属召合框３４１のガラス間口部３４１ｂの室内側の間口壁の内周端に取り付けられており、内、外障子３の閉鎖状態において、内障子２の召合框２３に取り付けられた気密材ｓ５２が当接することで、外障子３の召合框３４の金属召合框３４１が室内側に露出することを抑制して、断熱性能を向上させている。
【００４３】
（下枠と下框間の断熱構造）
以上のように、本実施形態の断熱サッシにおいては、枠体１および内、外障子２，３を構成する枠材および框材が、金属部材の室内側に樹脂部材が配置されて形成されているので、枠体１および内、外障子２，３における断熱性能を向上させることができる。
そして、本実施形態の断熱サッシにおいては、枠体１の枠材と内、外障子２，３の框材との間に生じる間隙に対しても断熱性能を向上させるための構成が採用されている。
以下に、上記断熱性能を向上させるための構成について、図５、６に示す、下枠と下框との間の構成を用いて、説明する。
【００４４】
枠体１を構成する下枠（枠材）１２の金属下枠１２１の室内側見付け面には、図２，３に示すように、全長に亘って樹脂枠材１２２が配置されており、内、外障子２，３の閉鎖時に室内側に露出する外障子３の室内側において金属下枠１２１の内周面には、図３に示すように、樹脂枠材１２３が配置されている。
【００４５】
一方、内障子２を構成する下框２２の樹脂下框２２２は、図５に示すように、金属下框２２１の下框本体部２２１ａの室内側面を覆う室外側壁２２２ａと、室外側壁２２２ａの上方部位に対して見込み方向にならぶ複数の中空部２２２ｂ，２２２ｃ，２２２ｄを有しており、複数の中空部２２２ｂ，２２２ｃ，２２２ｄのうち最も室内側の中空部２２２ｄは、他の室外側の中空部２２２ｂ，２２２ｃに対して上方に延びており、金属下框２２１のガラス間口部２２１ｂの室内側面を覆う室内側壁を構成している。
【００４６】
金属下框２２１の室内側面に固定された樹脂下框２２２の複数の中空部２２２ｂ，２２２ｃ，２２２ｄの下面はほぼ水平で面一に形成されており、下枠１２の樹脂枠材１２２の内周面に対して空間Ｓ１を挟んで対向するように配置されている。
【００４７】
本実施形態における断熱サッシの内障子２の下框２２の金属下框２２１は、ガラス部分における断熱性能向上等のために、ガラス間口部２２１ｂが下框本体部２２１ａに比べて見込み方向に幅広に形成されており、ガラス間口部２２１ｂが下框本体部２２１ａに対して室内側に突出するように形成されている。
そのため、下框２２の樹脂下框２２２は、室内側に突出するガラス間口部２２１ｂの室内側下面を覆う見込み方向に並んだ複数の中空部２２２ｂ，２２２ｃ，２２２ｄを有しており、下枠１２の樹脂枠材１２２の内周面と下框２２の樹脂下框２２２の外周面との対向部分に形成される空間Ｓ１は、見込み方向に所定の寸法Ｌ１を有している。
【００４８】
そして、樹脂下框２２２の下面には、見付け（左右）方向の全長に亘って２条のヒレ片(気密片)２２２ｅ，２２２ｆが設けられており、その先端は下枠１２の樹脂枠材１２２の内周面に近接している。
このように、下枠１２の樹脂枠材１２２の内周面と下框２２の樹脂下框２２２の外周面との対向部分に形成される空間Ｓ１は、樹脂枠材１２２，樹脂下框２２２および室内側のヒレ片(気密片) ２２２ｅにより囲まれる見込み方向に所定の寸法Ｌ１を有する半密閉空間Ｓ１として形成されている。
なお、本実施形態の断熱サッシにおいては、２条のヒレ片(気密片)２２２ｅ，２２２ｆの先端と下枠１２の樹脂枠材１２２の内周面との間隔は、戸車調整分を含んで０〜４ｍｍに設定されており、少なくとも４ｍｍ以上の隙間が生じないようにしているとともに、所定の寸法Ｌ１は２０ｍｍと設定されている。しかし、ヒレ片(気密片)２２２ｅ，２２２ｆの先端と下枠１２の樹脂枠材１２２の内周面との間隔および所定の寸法Ｌ１は、樹脂枠材１２２と樹脂下框２２２との間に形成される空間Ｓ１が断熱性を向上させる密閉空間または半密閉空間とすることができる寸法であればよく、特に限定されるものではない。。
【００４９】
さらに、２条のヒレ片２２２ｅ，２２２ｆの先端は室外側に湾曲させており、ヒレ片２２２ｅ，２２２ｆと樹脂枠材１２２の内周面との間隔が０ｍｍとなった場合であっても、ヒレ片２２２ｅ，２２２ｆの先端が巻き込まれることを防いで、内障子２の開閉抵抗が増大することのないように形成されている。
【００５０】
２条のヒレ片のうち室内側に設けられるヒレ片２２２ｅは、樹脂下框２２２の室内側面が延長するよう形成され、樹脂下框２２２の室内側面と面一に形成されており、意匠性を向上させている。
また、室内側のヒレ片２２２ｅの室外側に設けられるヒレ片２２２ｆは、見込み方向で樹脂下框２２２の室外側面と室内側のヒレ片２２２ｅとのほぼ中間位置に設けられており、樹脂枠材１２２の内周面と樹脂下框２２２の外周面との対向部分の半密閉の断熱空間Ｓ１を見込み方向に分割して、断熱性能をさらに向上させている。
【００５１】
外障子３を構成する下框３２の樹脂下框３２２は、図６に示すように、金属下框３２１の下框本体部３２１ａの室内側面を覆う室外側壁３２２ａと、室外側壁３２２ａの上方部位に対して見込み方向に所定の寸法を有する中空部３２２ｂと、中空部３２２ｂの上面室内側から上方に延びて金属下框２２１のガラス間口部３２１ｂの室内側面を覆う断面中空形状の室内側壁３２２ｃを有している。
樹脂下框３２２の中空部３２２ｂの下面はほぼ水平で面一に形成されており、下枠１２の樹脂枠材１２３の内周面に対して空間Ｓ２を挟んで対向するように配置されている。
【００５２】
本実施形態における断熱サッシの外障子３の下框３２の金属下框３２１は、ガラス部分における断熱性能向上等のために、ガラス間口部３２１ｂが下框本体部３２１ａに比べて見込み方向に幅広に形成されており、ガラス間口部３２１ｂが下框本体部３２１ａに対して室内側に突出するように形成されている。
そのため、下框３２の樹脂下框３２２は、室内側に突出するガラス間口部３２１ｂの室内側下面を覆う見込み方向に所定の寸法を有する中空部３２２ｂを有しており、下枠１２の樹脂枠材１２３の内周面と下框３２の樹脂下框３２２の外周面との対向部分に形成される空間Ｓ２は、見込み方向に所定の寸法Ｌ２を有している。
【００５３】
そして、樹脂下框３２２の下面には、見付け（左右）方向の全長に亘って２条のヒレ片（気密片）３２２ｄ，３２２ｅが設けられており、２条のヒレ片３２２ｄ，３２２ｅの先端は下枠１２の樹脂枠材１２３の内周面に近接している。
このように、下枠１２の樹脂枠材１２３の内周面と下框３２の樹脂下框３２２の外周面との対向部分に形成される空間Ｓ２は、樹脂枠材１２３，樹脂下框３２２および室内側のヒレ片３２２ｄにより囲まれる見込み方向に所定の寸法Ｌ２を有する半密閉空間Ｓ２として形成されている。
なお、本実施形態の断熱サッシにおいては、２条のヒレ片（気密片）３２２ｄ，３２２ｅの先端と下枠１２の樹脂枠材１２３の内周面との間隔は戸車調整分を含んで０〜４ｍｍに設定されており、少なくとも４ｍｍ以上の隙間が生じないようにしているとともに、所定の寸法Ｌ２は２０ｍｍと設定されている。しかし、ヒレ片(気密片) ３２２ｄ，３２２ｅの先端と下枠１２の樹脂枠材１２３の内周面との間隔および所定の寸法Ｌ２は、樹脂枠材１２３と樹脂下框３２２との間に形成される空間Ｓ２が断熱性を向上させる密閉空間または半密閉空間とすることができる寸法であればよく、特に限定されるものではない。
【００５４】
さらに、２条のヒレ片３２２ｄ，３２２ｅの先端は室外側に湾曲させており、ヒレ片３２２ｄ，３２２ｅと樹脂枠材１２３の内周面との間隔が０ｍｍとなった場合であっても、ヒレ片３２２ｄ，３２２ｅの先端が巻き込まれることを防いで、外障子３の開閉抵抗が増大することのないように形成されている。
【００５５】
２条のヒレ片のうち室内側に設けられるヒレ片３２２ｄは、樹脂下框３２２の室内側面が延長するよう形成され、樹脂下框３２２の室内側面と面一に形成されており、意匠性を向上させている。
また、室内側のヒレ片３２２ｄの室外側に設けられるヒレ片３２２ｅは、見込み方向で樹脂下框３２２の室外側面と室内側のヒレ片３２２ｄとのほぼ中間位置に設けられており、樹脂枠材１２３の内周面と樹脂下框３２２の外周面との対向部分の半密閉の断熱空間Ｓ２を見込み方向に分割して、断熱性能をさらに向上させている。
【００５６】
以上のように、本実施形態の断熱サッシにおいては、枠体および障子を金属部材の室内側に樹脂部材を配置して構成することで高い断熱性能を付与すると共に、枠体と障子の室内側に配置された樹脂部材によって見込み方向に所定の寸法を有する空間を形成し、さらに、樹脂部材に設けたヒレ片によって見込み方向に所定の寸法を有する半密閉空間として形成することで、障子の開閉抵抗を増大させることなく、枠体と障子との間の空間からの冷熱の伝達をさらに抑制することができる。
【００５７】
なお、本実施形態の断熱サッシにおいては、樹脂下框に設けた２条のヒレ片は、樹脂下框２２２，３２２と同一の硬質樹脂材料によって一体的に形成しても、また、軟質樹脂材料を一体的に形成してもよく、また、別体で形成したヒレ片を取り付ける構成としてもよい。また、ヒレ片の数も何ら限定されるものではない。さらに、上記実施形態においては、ヒレ片は対向する樹脂部材に対して近接するもので当接してはいないが、当接させてもよい。
また、下枠の樹脂部材の内周面と下框の樹脂框材の外周面は、見込み方向に所定の寸法が形成できれば、特に、水平に対向するものでなくてもよい。
さらに、本実施形態の断熱構造は、下枠と下框との間に限定されるものではなく、上枠と上框との間に形成されるものでも、また、障子の開閉方向によっては、竪枠と竪框との間に形成されるものでもよく、場合によって、樹脂下框に設けられていたヒレ片は、枠体の樹脂部材側に形成されるものでもよい。
また、本実施形態の断熱サッシは、金属枠体と樹脂部材および金属框材と樹脂框材とからなる複合サッシを用いて説明したが、本発明が採用されるサッシは複合サッシに限るものではなく、主に樹脂で形成された樹脂サッシにおいても採用することができる。
【符号の説明】
【００５８】
１        ：枠体
１１      ：上枠
１１１    ：金属上枠
１１２    ：樹脂枠材
１１３    ：樹脂枠材
１１４    ：樹脂枠材
１２      ：下枠
１２１    ：金属下枠
１２２    ：樹脂枠材
１２３    ：樹脂枠材
１２５    ：下レール部材
１２６    ：室内側下レール
１３      ：左竪枠
１３１    ：金属左竪枠
１３２    ：樹脂枠材
１４      ：右竪枠
１４１    ：金属右竪枠
１４２    ：樹脂枠材
２        ：内障子
２１      ：上框
２１１    ：金属上框
２１２    ：樹脂上框
２２      ：下框
２２１    ：金属下框
２２２    ：樹脂下框
２２２ｅ  ：ヒレ片（気密片）
２２２ｆ  ：ヒレ片（気密片）
２３      ：召合框
２３１    ：金属召合框
２３２    ：樹脂召合框
２４      ：戸先框
２４１    ：金属戸先框
２４２    ：樹脂戸先框
３        ：外障子
３１      ：上框
３２      ：下框
３２１    ：金属下框
３２２    ：樹脂下框
３２２ｄ  ：室内側ヒレ片(気密片)
３２２ｅ  ：ヒレ片（気密片）
３３      ：戸先框
３４      ：召合框
３４１    ：金属召合框
３４２    ：樹脂召合框
【図１】
2018162587.tif 000003
【図２】
2018162587.tif 000004
【図３】
2018162587.tif 000005
【図４】
2018162587.tif 000006
【図５】
2018162587.tif 000007
【図６】
2018162587.tif 000008